(57)【要約】【課題】施工が容易とすることができる給排気筒トップを得ることを目的とする。【解決手段】給排気筒トップ８０は、建物壁１００を貫通して配設され、屋外から燃焼用空気を取り入れるとともに燃焼排ガスを屋外に排出する二重筒１０と、二重筒１０の一端側において該二重筒１０と建物壁１００との間に設けられ二重筒１０を建物壁１００に対して所定の角度傾けて支持する傾斜フランジ部材１７と、二重筒１０の他端側において該二重筒１０と建物壁１００との間に設けられ二重筒１０を建物壁１００に対して任意の角度に傾けて支持可能な球面自在座部材１６とを有する。【選択図】        図１
2007303766.tif 000002
【特許請求の範囲】
【請求項１】
建物壁を貫通して配設され、屋外から燃焼用空気を取り入れるとともに燃焼排ガスを屋外に排出する二重筒と、
前記二重筒の一端側において該二重筒と前記建物壁との間に設けられ前記二重筒を前記建物壁に対して所定の角度傾けて支持する傾斜フランジ部材と、
前記二重筒の他端側において該二重筒と前記建物壁との間に設けられ前記二重筒を前記建物壁に対して任意の角度に傾けて支持可能な球面自在座部材とを有する
ことを特徴とする給排気筒トップ。
【請求項２】
燃焼用空気を取り入れる給気口と燃焼排ガスを屋外に排出する排気口とが形成されたトップ屋外部が前記二重筒の端部に設けられており、前記二重筒が伸縮自在であり、前記球面自在座部材が前記トップ屋外部と前記建物壁との間に挟まれて設置されている
ことを特徴とする請求項１に記載の給排気筒トップ。
【請求項３】
前記二重筒は、外周部が雌ねじとされた第一筒部と外周部が雄ねじとされた第二筒部とが両ねじ部を螺合させて連結されており、一方が他方に対して回転することにより伸縮自在とされている
ことを特徴とする請求項２に記載の給排気筒トップ。
【発明の詳細な説明】
【技術分野】
【０００１】
本発明は、屋外から燃焼用空気を取り入れて、都市ガス、液化石油ガス、灯油などの燃料を燃焼し、燃焼排ガスを屋外に排出する密閉燃焼式機器の給排気筒トップに関するものであり、特に燃焼用空気と燃焼排ガスとを流通させる二重筒を建物壁に対して所定の角度傾けて取り付ける給排気筒トップに関するものである。
【背景技術】
【０００２】
燃焼用空気と燃焼排ガスとを流通させる二重筒を建物壁に対して所定の角度傾けて取り付ける給排気筒トップとして、従来、以下のものが提案されている。すなわち、給排気筒トップの室内側と室外側の双方に傾斜を有するフランジ部材を設け、このフランジ部材の傾斜を互いに逆方向に組み合わせて取り付けを行うように構成するものが提案されている（例えば、特許文献１参照）。
【０００３】
また、平行でない二面（異角度の構造体間）への配管施工金具において、２組の球面座を対にして螺合する構成のものが提案されている（例えば、特許文献２参照）。
【０００４】
【特許文献１】実開昭６０−７５７８６号公報（第１頁、第８図）
【特許文献２】特開昭５７−１６３７９０号公報（第１〜２頁、第２図）
【発明の開示】
【発明が解決しようとする課題】
【０００５】
特許文献１に開示されている給排気筒トップにおいては、傾斜を有する２つのフランジ部材を、給排気筒トップを設置する建物壁の両側に傾斜を逆方向に組み合わせて取り付ける。この構成の場合には、傾斜を有するフランジ部材の傾斜を正確に逆方向に組み合わせないと、フランジ部材と壁面とが全周にわたって密着せず一部に隙間が空いた状態となり、正しい傾斜角度にならなかったり、壁穴部とフランジ部材との間のシールに不具合が生じたりするという問題点がある。
【０００６】
また、特許文献２に開示されている配管施工金具は、２組の球面座を対にして螺合する構成のものであるが、給排気筒トップの取り付けのような平行な建物壁へ設置するものに対しては適切に適合できるものではなかった。
【０００７】
この発明は上述の課題を解決するためになされたもので、施工を容易とすることができる給排気筒トップを得ることを目的とする。
【課題を解決するための手段】
【０００８】
上述の課題を解決するために、この発明に係る給排気筒トップは、建物壁を貫通して配設され、屋外から燃焼用空気を取り入れるとともに燃焼排ガスを屋外に排出する二重筒と、二重筒の一端側において該二重筒と建物壁との間に設けられ二重筒を建物壁に対して所定の角度傾けて支持する傾斜フランジ部材と、二重筒の他端側において該二重筒と建物壁との間に設けられ二重筒を建物壁に対して任意の角度に傾けて支持可能な球面自在座部材とを有することを特徴とする。
【０００９】
ここで、球面自在座部材とは、例えば凹形球面座フランジ部材とこれに組み合う凸形球面座リング部材とからなる一対の部材のことを指す。
【発明の効果】
【００１０】
この発明の給排気筒トップによれば、傾斜を有するひとつのフランジ部材と、例えば凹形球面座フランジ部材及び凸形球面座リング部材とからなる球面自在座との組み合わせで、所定の傾斜角度を正確に設定することができ、施工が容易な給排気筒トップの構造を提供する。
【発明を実施するための最良の形態】
【００１１】
以下、本発明にかかる給排気筒トップの実施の形態を図面に基づいて詳細に説明する。なお、この実施の形態によりこの発明が限定されるものではない。
【００１２】
実施の形態．
図１は本発明の実施の形態の給排気筒トップの一部を断面とする側面図である。図１において、給排気筒トップ８０は、建物壁１００に設けられた貫通穴１００ａを貫通する同軸二重筒（二重筒構造の壁貫通部）１０と、同軸二重筒１０の屋外側に設けられたトップ屋外部２０と、同軸二重筒１０の屋内側に設けられた屋内側ヘッダ部３０とから構成されている。同軸二重筒１０は内管１１と外管１２とを有し、内管１１の内部には外部に排出される燃焼排ガスが流通し、内管１１と外管１２との間には燃焼用空気が流通する。
【００１３】
トップ屋外部２０は、建物壁１００の外壁面１００ｂから露呈して設けられており、排気口２１、給気口２２が形成され、さらに排気口２１と給気口２２との間には両者を隔てる給排分離板２３が設けられている。建物壁１００の外壁面１００ｂの貫通穴１００ａ開口部周囲に凹形球面座フランジ部材１４が設けられている。一方、この凹形球面座フランジ部材１４に対向するように同軸二重筒１０側には凸形球面座リング部材１５が設けられている。凹形球面座フランジ部材１４と凸形球面座リング部材１５とは、同軸二重筒１０を建物外壁面１００ａに対して任意の角度に傾けて支持可能な球面自在座部材１６を構成している。同軸二重筒１０の外管１２の先端が凸形球面座リング部材１５に接続されている。一方、内管１１は給排分離板２３を貫通して外方に延長されて給排分離板２３より前方に突出している。排気口２１はこの突出した部分に設けられている。
【００１４】
屋内側ヘッダ部３０は、建物壁１００の内壁面１００ｃから突出して設けられており、軸線と直角方向に排気接続口３１と給気接続口３２とが形成されている。建物壁１００の内壁面１００ｃの貫通穴１００ａ開口部周囲に傾斜フランジ部材１７が設けられている。傾斜フランジ部材１７は所定の向きに向けられた後、取付ねじ１８によって内壁面１００ｃに締着されている。傾斜フランジ部材１７は、同軸二重筒１０の一端側において同軸二重筒１０と内壁面１００ｃとの間に設けられ同軸二重筒１０を内壁面１００ｃから所定の角度Ａ°傾けて支持している。
【００１５】
密閉燃焼機器（図示せず）から延びる燃焼排ガス管（図示せず）が屋内側ヘッダ部３０の排気接続口３１に接続される。そして、密閉燃焼機器から排出された燃焼排ガスは同軸二重筒１０の内管１１の内部を流れて屋外に排出される。一方、密閉燃焼機器へと延びる燃焼用空気管（図示せず）が屋内側ヘッダ部３０の給気接続口３２に接続される。そして、トップ屋外部２０の給気口２２から取り入れられた燃焼用空気は、同軸二重筒１０の外管１２と内管１１との間の空間を流れて、給気接続口３２から密閉燃焼機器に供給される。
【００１６】
図２は凹形球面座フランジ部材１４に対して凸形球面座リング部材１５が任意の角度に係合する様子を示す横断面図である。凹形球面座フランジ部材１４の有する凹形の球面座１４ａに対して、同じ曲率を有する凸形球面座リング部材１５の凸形の球面座１５ａが密着して球面座１４ａ上をすべることによって図２中矢印で示すように任意の角度に係合する。
【００１７】
図３は本実施の形態の給排気筒トップ８０の取付施工方法を説明するための一部を断面する側面図である。内管１１は、屋内側へ配置される第１内管１１ａと屋外側に配置される第２内管１１ｂとに分割されている。外管１２も同じように、屋内側へ配置される第１外管１２ａと屋外側に配置される第２外管１２ｂとに分割されている。第１内管１１ａと第１外管１２ａとは屋内側ヘッダ部３０に接続されている。第２内管１１ｂと第２外管１２ｂとはトップ屋外部２０に接続されている。第１内管１１ａと第２内管１１ｂとは互いにスライドして嵌り合うようにされている。一方、第１外管１２ａと第２外管１２ｂについては、第１外管１２ａの外側に雄ねじが形成されており、反対に第２外管１２ｂの内側に雌ねじが形成されており、両者が螺合することにより連結するようにされている。そして、固定された屋内側ヘッダ部３０に対してトップ屋外部２０を軸線回りに回転させると、同軸二重筒１０の長さが伸縮するようにされている。
【００１８】
このように構成された給排気筒トップ８０は、まず室内側にて屋内側ヘッダ部３０が傾斜フランジ部材１７により角度Ａ°傾けられて固定され、次いで屋外側にてトップ屋外部２０と内壁面１００ｃとの間に球面自在座部材１６（凹形球面座フランジ部材１４と凸形球面座リング部材１５）が挟まれた状態で設置される。そして、この状態からトップ屋外部２０を回転させて同軸二重筒１０の長さを縮めることにより、凹形球面座フランジ部材１４と凸形球面座リング部材１５とが密着してトップ屋外部２０が所定の角度に固定される。これにより、給排気筒トップ８０が建物壁１００に固定される。
【００１９】
以上のように本実施の形態の給排気筒トップ８０においては、建物壁１００を貫通して配設され、屋外から燃焼用空気を取り入れるとともに燃焼排ガスを屋外に排出する同軸二重筒１０と、同軸二重筒１０の一端側において、この同軸二重筒１０と建物壁１００との間に設けられ同軸二重筒１０を建物壁１００に対して所定の角度傾けて支持する傾斜フランジ部材１７と、同軸二重筒１０の他端側において、この同軸二重筒１０と建物壁１００との間に設けられ同軸二重筒１０を建物壁１００に対して任意の角度に傾けて支持可能な球面自在座部材１６とを有する。これにより、一側にひとつの傾斜フランジ部材１７を用いて所定の傾斜角度を正確に設定することができるとともに、他方に凹形球面座フランジ部材１４と凸形球面座リング部材１５を使用することで、従来の給排気筒トップが有していた、傾斜フランジ部材同士の傾斜方向を正確に逆方向に組み合わせなければならないという問題が解消され、施工が容易な密閉燃焼式機器の給排気筒トップを提供することができる。
【００２０】
なお、本実施の形態においては、建物壁１００の外壁面１００ｂ側に球面自在座部材１６が配設され、内壁面１００ｃ側に傾斜フランジ部材１７が配設されている。しかしながら、この配置は逆とされてもよい。すなわち、図４に示すように、建物壁１００の外壁面１００ｂ側に傾斜フランジ部材１７が配設され、内壁面１００ｃ側に球面自在座部材１６が配設されてもよい。
【図面の簡単な説明】
【００２１】
【図１】本発明の実施の形態の給排気筒トップの一部を断面とする側面図である。
【図２】凹形球面座フランジ部材に対して凸形球面座リング部材が任意の角度に係合する様子を示す横断面図である。
【図３】本発明の実施の形態の給排気筒トップの取付施工方法を説明するための一部を断面する側面図である。
【図４】球面自在座部材と傾斜フランジ部材の配置の他の例を示す一部を断面する側面図である。
【符号の説明】
【００２２】
１０  同軸二重筒
１１  内管
１２  外管
１４  凹形球面座フランジ部材
１５  凸形球面座リング部材
１６  球面自在座部材
１７  傾斜フランジ部材
１８  取付ねじ
２０  トップ屋外部
２１  排気口
２２  給気口
２３  給排分離板
３０  屋内側ヘッダ部
３１  排気接続口
３２  給気接続口
８０  給排気筒トップ
１００  建物壁
【図１】
2007303766.tif 000003
【図２】
2007303766.tif 000004
【図３】
2007303766.tif 000005
【図４】
2007303766.tif 000006